(57)【要約】【課題】ハードディスクの発生熱を放熱蓋板より素早く外部に放出し、過熱による稼働中止または故障を防止すること。【解決手段】ハードディスクを固定する受け台を設け、受け台上部に調節棒を設けて、調節棒は垂直して上下に移動することができる。さらに、受け台とハードディスクの間に放熱蓋板を被せておく。組み合わせたのとき、調節棒を回して放熱蓋板に係止めて、放熱蓋板をハードディスクの平面表面に貼り合わせて、放熱蓋板とハードディスクとの間に隙間をなくす。【選択図】図３
0003125770.tif 000002
【実用新案登録請求の範囲】
【請求項１】
受け台と放熱蓋板とを具備し、
前記受け台は開放形状に形成すると共に、受け台の両側を開放して形成し、その一端を延ばして内側に屈折したフランジを形成し、フランジ上に調節棒を設け、かつ、フランジと受け台との接続場所に水平方向に延ばす取付溝を設け、
前記放熱蓋板は、受け台の取付溝に挿入し、
前記した部品を組み合わせるとき、ハードディスクを受け台に取り付けてから、調節棒を移動し、放熱蓋板をハードディスク表面に係止して、放熱蓋板とハードディスクとの間に隙間をなくしてハードディスクから放熱蓋板へ伝熱するように構成したことを特徴とする、
外付け式ハードディスクケースの放熱構造。
【請求項２】
受け台上に固定箱を設け、固定箱はハードディスクを固定することを特徴とする、請求項１記載の外付け式ハードディスクケースの放熱構造。
【請求項３】
受け台に脚部パッドを設けて下敷を構成することを特徴とする、請求項１記載の外付け式ハードディスクケースの放熱構造。
【請求項４】
放熱蓋板は放熱部材より構成することを特徴とする、請求項１記載の外付け式ハードディスクケースの放熱構造。
【考案の詳細な説明】
【技術分野】
【０００１】
本考案は外付け式ハードディスクケースの放熱構造に関し、特に放熱蓋板とハードディスクとの間を貼り合わせることにより、ハードディスクの発生熱を素早く外部に放出できる外付け式ハードディスクケースの放熱構造に関するものである。
【背景技術】
【０００２】
コンピュータ周辺設備は現代の人々にとって、生活および仕事に欠かせない工具の一つとなった。また、各種資料の電算化により、様々な電子式資料保存媒体が開発された。現在、携帯式資料保存媒体は１．４４ＭＢフロッピー（登録商標）ディスク、読み取り、書き取り式光ディスク、メモリカードおよびカードリーダー、ＵＳＢ規格のフラッシュディスクのほか、マイクロドライブのハードディスクを取り付けて、携帯可能な外付け式ハードディスクケースなどが市販されている。
【０００３】
公知技術の外付け式ハードディスクケースの構造は、図１に示すとおり、外部は主に外付けケース１００を設け、外付けケース１００の内部にハードディスク２００を取り付ける。ハードディスク２００の片面は外付けケース１００の底面に固定しておく。使用するとき、外付けケース１００はハードディスク２００を収納するのみで、特に放熱機能を持たない。そのため、外付けケース１００に伝熱部材を使用しても、ハードディスクの製造寸法の公差により、ハードディスク２００それぞれを外付けケース１００に取り付けたとき、どうしても外付けケース１００の隙間が開いてしまう。ハードディスク２００より発生する熱は外付けケース１００に留まり、外付けケース１００から外部に搬送することができない。ハードディスク２００は長期にわたり高温環境で稼働するため、ハードディスク２００稼働の不安定および破損、データロスを発生する。
【考案の開示】
【考案が解決しようとする課題】
【０００４】
本考案は前記した問題点を解決するためになされたもので、その目的とするところは簡易な構造で以って放熱性を改善できる外付け式ハードディスクケースを提供することにある。
【課題を解決するための手段】
【０００５】
本考案の一つの目的は、一種の外付け式ハードディスクケースの放熱構造を提供することにある。主に固定箱を設け、固定箱内部にハードディスクを取り付ける。固定箱上部に開放形状の受け台を設ける。受け台両側は上方向にそれぞれ延ばし、曲げてフランジを形成する。フランジに垂直移動する調節棒を設け、ハードディスクを固定箱の片面に固定した上、放熱蓋板を被せる。放熱蓋板は受け台フランジの下部に設ける。使用するとき、調節棒を移動して、放熱蓋板をハードディスクに係止めておき、放熱蓋板とハードディスクの間に隙間を残さないため、ハードディスクより発生する熱源を放熱蓋板から外部に素早く放出して、過熱によりハードディスクの稼働中止または故障を防止できる。さらに、放熱蓋板は調節可能のため、異なるハードディスクを受け台に取り付けるとき、受け台に隙間を残さない。
すなわち、本願の第１考案は、受け台と放熱蓋板とを具備し、前記受け台は開放形状に形成すると共に、受け台の両側を開放して形成し、その一端を延ばして内側に屈折したフランジを形成し、フランジ上に調節棒を設け、かつ、フランジと受け台との接続場所に水平方向に延ばす取付溝を設け、前記放熱蓋板は、受け台の取付溝に挿入し、前記した部品を組み合わせるとき、ハードディスクを受け台に取り付けてから、調節棒を移動し、放熱蓋板をハードディスク表面に係止して、放熱蓋板とハードディスクとの間に隙間をなくしてハードディスクから放熱蓋板へ伝熱するように構成したことを特徴とする、外付け式ハードディスクケースの放熱構造を提供する。
本願の第２考案は、受け台上に固定箱を設け、固定箱はハードディスクを固定することを特徴とする、前記第１考案に記載の外付け式ハードディスクケースの放熱構造を提供する。
本願の第３考案は、受け台に脚部パッドを設けて下敷を構成することを特徴とする、前記第１考案に記載の外付け式ハードディスクケースの放熱構造を提供する。
本願の第４考案は、放熱蓋板は放熱部材より構成することを特徴とする、前記第１考案に記載の外付け式ハードディスクケースの放熱構造を提供する。
【考案の効果】
【０００６】
本考案は、受け台の下部に、脚部パッドを設け、受け台は脚部パッドに寄り掛かって、設置場所と直接に接触しないため、設置場所と一定の距離を維持して、放熱を促進できるハードディスクを提供することができる。
【考案を実施するための最良の形態】
【０００７】
本考案の理解を図るため、本考案は前記の目的を実現するために採用する手段およびその効果について、図面参照しながら好ましい実施例について説明する。
【実施例】
【０００８】
図２、３に示すとおり、本考案は電子製品に使用する外付け式ハードディスクケースの放熱構造である。
これは主に固定箱１０を備える。固定箱１０の一面を開放形状に形成する。
固定箱１０の前面にパネル１１を設ける。パネル１１はいずれの形状に設けても良い。
固定箱１０後部端面に複数のソケット１２を設け、ソケット１２に電源ソケット、ＵＳＢソケットなどを設ける。
さらに、固定箱１０の一定場所に電気制御回路板１３を設け、電気制御回路板１３とソケット１２を接続して制御を行う。
固定箱１０の内部にはハードディスク２０を設ける。ハードディスク２０は固定箱１０内部に取り付けるほか、ハードディスク２０は挿入方式により、電気制御回路板１３に接続する。
【０００９】
固定箱１０上に開放形状の受け台３０を設ける。本実施例においては、略Ｕ字型のケース体を設ける。受け台３０はアルミなどの放熱部材を使用する。
受け台３０と固定箱１０上に備えるパネル１１を一体化に結合する。受け台３０両側は上方向に延ばして、内側に屈折したフランジ３１を設け、フランジ３１の上に若干の調節棒３２を設ける。
本実施例において、調節ねじを設ける。調節棒３２は垂直して上下に移動することができる。
さらに、フランジ３１と受け台座３０との接続場所に水平方向に延ばす取付溝３３を設け、取付溝３３内部に放熱蓋板４０を設ける。
本実施例において、放熱部材の開板を使用する。放熱蓋板４０の高さは取付溝３３より低く設けて、放熱蓋板４０の取付溝３３における移動空間（図５のａ＋ｂの区間）を与える。
【００１０】
このほか、受け台３０とパネル１１と接続していない端面に背板３４を設け、背板３４に開口部３４１を設けて、ソケット１２を露出させる。
受け台３０の下部に脚部パッド３５を設けて下敷きとする。
【００１１】
図２、３、４、５に示すとおり、ハードディスク２０を固定箱１０に取り付けた後、受け台３０を固定箱１０下部に取り付けて、パネル１１と受け台３０を結合する。
放熱蓋板４０を取付溝３３に挿入し、調節棒３２を移動させ、放熱蓋板４０をハードディスク２０表面に係止める。
これにより、ハードディスク２０の製造公差を防止し、放熱蓋板４０をハードディスク２０に貼り合わせて、放熱蓋板４０とハードディスク２０との間に隙間を残さないことにより、ハードディスク２０の発生熱を放熱蓋板４０から外部に放出して、過熱による稼働中止または故障を防止できる。
【図面の簡単な説明】
【００１２】
【図１】公知装置の概略図である。
【図２】本考案の組み合わせたときの立面概略図である。
【図３】本考案の立面分解概略図である。
【図４】本考案の組み合わせたときの断面概略図である。
【図５】本考案を組み合わせるとき、受け台上に備える調節棒と放熱蓋板との間の稼働拡大概略図である。
【符号の説明】
【００１３】
１０          固定箱
１１          パネル
１２          ソケット
１３          電気制御回路板
２０          ハードディスク
３０          受け台
３１          フランジ
３２          調節棒
３３          取付溝
３４          背板
３４１        開口部
３５          脚部パッド
４０          放熱蓋板
【図１】
0003125770.tif 000003
【図２】
0003125770.tif 000004
【図３】
0003125770.tif 000005
【図４】
0003125770.tif 000006
【図５】
0003125770.tif 000007
【手続補正書】
【提出日】平成18年7月24日(2006.7.24)
【手続補正１】
【補正対象書類名】実用新案登録請求の範囲
【補正対象項目名】全文
【補正方法】変更
【補正の内容】
【実用新案登録請求の範囲】
【請求項１】
受け台と放熱蓋板とを具備し、
前記受け台は開放形状に形成すると共に、受け台の両側を開放して形成し、その一端を延ばして内側に屈折したフランジを形成し、フランジ上に調節棒を設け、かつ、フランジと受け台との接続場所に水平方向に延ばす取付溝を設け、
前記放熱蓋板は、受け台の取付溝に挿入し、
前記した受け台と放熱蓋板とを組み合わせるとき、ハードディスクを受け台に取り付けてから、調節棒を移動し、放熱蓋板をハードディスク表面に係止して、放熱蓋板とハードディスクとの間に隙間をなくしてハードディスクから放熱蓋板へ伝熱するように構成したことを特徴とする、
外付け式ハードディスクケース。
【請求項２】
受け台上に固定箱を設け、固定箱はハードディスクを固定することを特徴とする、請求項１記載の外付け式ハードディスクケース。
【請求項３】
受け台に脚部パッドを設けて下敷を構成することを特徴とする、請求項１記載の外付け式ハードディスクケース。
【請求項４】
放熱蓋板は放熱部材より構成することを特徴とする、請求項１記載の外付け式ハードディスクケース。
【手続補正３】
【補正対象書類名】明細書
【補正対象項目名】０００１
【補正方法】変更
【補正の内容】
【０００１】
本考案は外付け式ハードディスクケースの放熱構造に関し、特に放熱蓋板とハードディスクとの間を貼り合わせることにより、ハードディスクの発生熱を素早く外部に放出できる外付け式ハードディスクケースに関するものである。
【手続補正４】
【補正対象書類名】明細書
【補正対象項目名】０００５
【補正方法】変更
【補正の内容】
【０００５】
本考案の一つの目的は、一種の外付け式ハードディスクケースの放熱構造を提供することにある。主に固定箱を設け、固定箱内部にハードディスクを取り付ける。固定箱上部に開放形状の受け台を設ける。受け台両側は上方向にそれぞれ延ばし、曲げてフランジを形成する。フランジに垂直移動する調節棒を設け、ハードディスクを固定箱の片面に固定した上、放熱蓋板を被せる。放熱蓋板は受け台フランジの下部に設ける。使用するとき、調節棒を移動して、放熱蓋板をハードディスクに係止めておき、放熱蓋板とハードディスクの間に隙間を残さないため、ハードディスクより発生する熱源を放熱蓋板から外部に素早く放出して、過熱によりハードディスクの稼働中止または故障を防止できる。さらに、放熱蓋板は調節可能のため、異なるハードディスクを受け台に取り付けるとき、受け台に隙間を残さない。
すなわち、本願の第１考案は、受け台と放熱蓋板とを具備し、前記受け台は開放形状に形成すると共に、受け台の両側を開放して形成し、その一端を延ばして内側に屈折したフランジを形成し、フランジ上に調節棒を設け、かつ、フランジと受け台との接続場所に水平方向に延ばす取付溝を設け、前記放熱蓋板は、受け台の取付溝に挿入し、前記した受け台と放熱蓋板とを組み合わせるとき、ハードディスクを受け台に取り付けてから、調節棒を移動し、放熱蓋板をハードディスク表面に係止して、放熱蓋板とハードディスクとの間に隙間をなくしてハードディスクから放熱蓋板へ伝熱するように構成したことを特徴とする、外付け式ハードディスクケースを提供する。
本願の第２考案は、受け台上に固定箱を設け、固定箱はハードディスクを固定することを特徴とする、前記第１考案に記載の外付け式ハードディスクケースを提供する。
本願の第３考案は、受け台に脚部パッドを設けて下敷を構成することを特徴とする、前記第１考案に記載の外付け式ハードディスクケースを提供する。
本願の第４考案は、放熱蓋板は放熱部材より構成することを特徴とする、前記第１考案に記載の外付け式ハードディスクケースを提供する。